(57)【要約】【課題】排煙機能に加えて消火機能も併せて有する排煙装置を提供する。【解決手段】防護領域Ｈに設けられ、外部の空気を吸引する吸気口２と、煙を含んだ内部の空気を排出する排気口３とを備えた排煙装置１−１において、吸気口２に防護領域Ｈの内部に向けて消火水を放出するスプリンクラヘッド４を設けたことを特徴とする。これにより、スプリンクラヘッド４から防護領域Ｈに消火水を放出することで、火災の消火をしながら、煙を防護領域Ｈの外部に排出することができ、排煙機能に加えて消火機能も併せて有する排煙装置を提供することができる。【選択図】図１
2015073768.tif 000002
【特許請求の範囲】
【請求項１】
防護領域に設けられ、外部の空気を吸引する吸気口と、煙を含んだ内部の空気を排出する排気口とを備えた排煙装置において、吸気口に防護領域の内部に向けて消火水を放出するスプリンクラヘッドを設けたことを特徴とする排煙装置。
【請求項２】
前記吸気口と前記排気口とは、防護領域の上部側に設けられていることを特徴とする請求項１に記載の排煙装置。
【請求項３】
前記吸気口は防護領域の下部側に設けられ、前記排気口は防護領域の上部側に設けられていることを特徴とする請求項１に記載の排煙装置。
【請求項４】
前記吸気口と前記排気口とは、防護領域の側壁に形成された開口に窓と共に設けられていることを特徴とする請求項１乃至３の何れかに記載の排煙装置。
【請求項５】
前記排気口に防護領域の外部に向けて消火水を放出するスプリンクラヘッドを更に設けたことを特徴とする排煙装置である。
【発明の詳細な説明】
【技術分野】
【０００１】
この発明は、火災により発生した煙を防護領域の外部に排出する排煙装置に関する。
【背景技術】
【０００２】
火災により煙が発生すると、煙は人の避難の妨げとなる。そこで、従来、火災により発生した煙を防護領域の外部に排出する排煙装置が用いられている（例えば、特許文献１参照。）。
【先行技術文献】
【特許文献】
【０００３】
【特許文献１】特開２００１−３４９５９１号公報
【発明の概要】
【発明が解決しようとする課題】
【０００４】
この種の排煙装置の中でも、加圧式の排煙装置は、一般に吸気口からファンによって外部の新鮮な空気を取り込んで防護領域内に供給している。そして、供給した空気によって防護領域内を加圧状態にして排気口から煙を含んだ空気を排出している。
【０００５】
しかしながら、一般に排煙装置は消火機能は有していないため、それによって消火することまではできない。
【０００６】
この発明は、前記の事情に鑑み、排煙機能に加えて消火機能も併せて有する排煙装置を提供することを目的とする。
【課題を解決するための手段】
【０００７】
この発明は、防護領域に設けられ、外部の空気を吸引する吸気口と、煙を含んだ内部の空気を排出する排気口とを備えた排煙装置において、吸気口に防護領域の内部に向けて消火水を放出するスプリンクラヘッドを設けたことを特徴とする排煙装置である。
【０００８】
又、この発明は、前記吸気口と前記排気口とは、防護領域の上部側に設けられていることを特徴とする排煙装置である。
【０００９】
又、この発明は、前記吸気口は防護領域の下部側に設けられ、前記排気口は防護領域の上部側に設けられていることを特徴とする排煙装置である。
【００１０】
又、この発明は、前記吸気口と前記排気口とは、防護領域の側壁に形成された開口に窓と共に設けられていることを特徴とする排煙装置である。
【００１１】
又、この発明は、前記排気口に防護領域の外部に向けて消火水を放出するスプリンクラヘッドを更に設けたことを特徴とする排煙装置である。
【発明の効果】
【００１２】
この発明においては、スプリンクラヘッドから消火水が放出されると、放出された消火用水の勢いによって空気を吸引する力が生じ（以下、エダクター効果という。）、そのエダクター効果によって吸気口から外部の空気が吸引され、防護領域の内部に外部の空気が供給される。そして、防護領域の内部は供給される空気によって加圧状態となり、排気口から煙を含む空気が排出される。
【００１３】
つまり、この発明においては、スプリンクラヘッドから防護領域に消火水を放出することで、火災の消火をしながら、煙を防護領域の外部に排出することができる。
【００１４】
従って、この発明によれば、消火機能も有する排煙装置を提供することができる。
【図面の簡単な説明】
【００１５】
【図１】この発明の排煙装置の一例（第１の実施形態）の概要を示したものであり、（ａ）が排煙装置を側壁と共に正面視で示した図であり、（ｂ）が排煙装置を側壁と共に断面視で示しつつ、室内を側面視で示した図である。
【図２】同上の他の一例（第２の実施形態）の概要を示したものであり、（ａ）が図１（ａ）に相当する図であり、（ｂ）が図１（ｂ）に相当する図である。
【発明を実施するための形態】
【００１６】
先ず、この発明の第１の実施形態の排煙装置１−１を図１に基づいて説明する。
【００１７】
排煙装置１−１は、部屋Ｈを防護領域として設けられており、部屋Ｈの外部に面する側壁Ｋを貫通して設けられた外部の空気を内部に吸引するための吸気口部２と、同じく側壁Ｋを貫通して設けられた煙を含んだ内部の空気を外部に排出するための排気口部３とを備えている。
【００１８】
そして、排煙装置１−１において、吸気口部２には、部屋Ｈの内部に向けて消火水を放出するスプリンクラヘッド４が設けられている。
【００１９】
排煙装置１−１は、前記のように構成され、部屋Ｈの内部で火災Ｆが発生した際には、スプリンクラヘッド４から部屋Ｈの内部に消火水が放出され、その消火水が火災Ｆに掛かるようになっているが、スプリンクラヘッド４が吸気口部２に設けられていることで、スプリンクラヘッド４からの消火水の放出に伴うエダクター効果によって矢印Ａ１で示したように吸気口部２を通じて外部の空気が吸引されるようになっており、それにより外部の空気が部屋Ｈの内部に供給されて、部屋Ｈの内部が加圧状態となり、上部側の煙を含んだ空気が矢印Ａ２で示したように排気口部３から外部に排出されるようになっている。
【００２０】
つまり、排煙装置１−１は、吸気口部２に部屋Ｈの内部に消火水を放出するスプリンクラヘッド４を備えていることで、部屋Ｈの内部で発生する火災Ｆの消火をしつつ、煙を外部に排出することができるようになっている。
【００２１】
本実施形態の排煙装置１−１について更に詳細に説明する。
【００２２】
本実施形態において、吸気口部２と排気口部３とは、何れも部屋Ｈの内部の上部側（部屋Ｈの高さの中間より上方側）に設けられている。又、吸気口部２と排気口部３とは、側壁Ｋの窓Ｍが設けられている開口Ｏに窓Ｍと共に設けられており、具体的には窓Ｍの上辺部の上部に両者が隔壁５を介して横に並んだ配置で窓ＭのサッシＳと一体的に設けられている。
【００２３】
ここで、吸気口部２と排気口部３とが、何れも部屋Ｈの上部側に設けられていることで、排気口部３から部屋Ｈの上部側に集まる煙を円滑に外部に排出させることができるのはもちろんのこと、吸気口部２に設けられているスプリンクラヘッド４から放出される消火水を上方から部屋Ｈの室内全体に及ばせることができる。又、吸気口部２と排気口部３とが、側壁Ｋの窓Ｍが設けられている開口Ｏに窓Ｍと共に設けられていることで、両者を設けるのに側壁Ｋに別途開口を形成する必要をなくすることができ、更に窓ＭのサッシＳと一体的に設けられていることで、窓ＭのサッシＳとユニット化させることもできる。又、吸気口部２と排気口部３とが、隔壁５を介して設けられていることで、両者を横に並んだ配置としても、吸排気が干渉し合うのを避けることができる。
【００２４】
更に、本実施形態において、スプリンクラヘッド４は、吸気口部２の内部に収納されるように設けられており、又、複数のものが横に並んだ配置で設けられている。尚、スプリンクラヘッド４から放出する消火水についてであるが、防護領域の条件に応じて適宜変えることができ、例えば泡水溶液とすることもできる。又、スプリンクラヘッド４から放出する消火水を細かい粒子状（例えば、最適な粒径は１００μｍだが、２０〜２００μｍ程度の範囲が予想される。）とすることことができ、そのようにすることでエダクター効果によって吸引される空気の量を多くすることができ、効率よく部屋Ｈの内部に外部の空気を供給させることができる。
【００２５】
ここで、スプリンクラヘッド４の動作は、火災感知システムと連動するものとすることができ、例えば、煙感知器による火災の検知に連動して消火水を放出するものとすることができる。
【００２６】
更に、本実施形態において、吸気口部２と排気口部３とは、常時は閉鎖部材が閉じて閉鎖した状態が保たれ、火災時は閉鎖部材が開いて開放した状態になるようにすることができ、例えば、閉鎖部材を図に示したような吸気口部２及び排気口部３の室内側口縁の下辺部に設けられた前掲扉６とし、ラッチ等のロック／アンロック機構により、常時は前掲扉６が閉じて閉鎖した状態が保たれ、火災時は前掲扉６が開いて開放した状態になるようにすることができる。尚、前掲扉６のロック／アンロック機構の解除動作は、火災感知システムからの信号により電動で行われるようにすることもできるが、スプリンクラヘッド４からの消火水の放出圧力を前掲扉６が受けることによって行われるようにすることもできる。
【００２７】
次に、この発明の第２の実施形態の排煙装置１−２を図２に基づいて説明する。
【００２８】
本実施形態の排煙装置１−２は、吸気口部２及び排気口部３の配置を第１の実施形態の排煙装置１−１のものと異なるものとしたものである。尚、その他構成は第１の実施形態の排煙装置１−１のものと同一である。
【００２９】
即ち、本実施形態の排煙装置１−２においては、排気口部３は第１の実施形態の同様、部屋Ｈの上部側に配置して設けているが、吸気口部２は部屋Ｈの下部側に配置して設けている。具体的には、排気口部３は窓ＭのサッシＳの上辺部の上部に設け、吸気口部２は窓ＭのサッシＳの下辺部の下部に設け、窓Ｍを間に排気口部３が上方に位置し、吸気口部２が下方に位置する配置で設けている。尚、本実施形態の排煙装置１−２においても、吸気口部２と排気口部３とを側壁Ｋの開口Ｏ内に窓ＭのサッシＳと一体的に設けているが、両者を上下に分離して設けていることでそれぞれの幅がより長いものとなっており、吸気口部２におけるスプリンクラヘッド４の数もより多いものとなっている。
【００３０】
このように排気口部３を上部側に配置して設け、吸気口部２を下部側に配置して設けていることで、第１の実施形態と同様、火災の熱によって防護領域の上部側に煙が流れ、上部側に集まる煙を上部側の排気口部３から外部に円滑に排出させることができるのはもちろんのこと、吸気口部２に設けられているスプリンクラヘッド４から放出される消火水を防護領域の床面付近で発生する火災Ｆに対し、近い位置から火災Ｆの火源に届かせることができる。
【００３１】
以上、この発明の実施形態について説明したが、この発明は上記の実施形態に限定されるものではない。
【００３２】
例えば、上記の実施形態においては吸気口部２及び排気口部３を側壁Ｋの窓Ｍが設けられている開口Ｏに窓Ｍと共に設けたものとしているが、もちろん側壁Ｋに別途開口を形成して設けるようにしてもよい。
【００３３】
又、排気口部３に部屋Ｈの外部に向けて消火水を放出するスプリンクラヘッドを吸気口部２に設けられている部屋Ｈの内部に向けて消火水を放出するスプリンクラヘッド４に加えて或いはそれに代えて設けるようにしてもよい。
【００３４】
又、吸気口部２と排気口部３の間には、隔壁５が設けられているが、隔壁５に加えて或いはそれに代えて排気口部３の外側に突出するようにＬ字状の排気筒を設けてもよい。これにより、吸気口部２と排気口部３の位置を遠ざけることができるので、排気した空気を再度取り込む虞がなくなる。
【符号の説明】
【００３５】
１−１，１−２：排煙装置  ２：吸気口部  ３：排気口部
４：スプリンクラヘッド  ５：隔壁  ６：前掲扉
Ｈ：部屋  Ｋ：側壁  Ｍ：窓  Ｏ：開口  Ｓ：サッシ
【図１】
2015073768.tif 000003
【図２】
2015073768.tif 000004
【手続補正書】
【提出日】平成25年10月10日(2013.10.10)
【手続補正１】
【補正対象書類名】特許請求の範囲
【補正対象項目名】請求項５
【補正方法】変更
【補正の内容】
【請求項５】
前記排気口に防護領域の外部に向けて消火水を放出するスプリンクラヘッドを更に設けたことを特徴とする請求項１乃至４の何れかに記載の排煙装置。